(57)【要約】      （修正有）【課題】把持しやすいグリップ性と、グリップ時に誤操作しにくく、操作時に操作しやすい操作部材の配置が可能な電子機器のグリップ構造を提供する。【解決手段】背面把持領域３００の形状は、窪んだ形状の凹部３５０と、その外側に傾斜を有する第１の凸部３６０とで形成され、第１の凸部３６０の凹部３５０に対して反対側に、第２の凸部４３０を有する。さらに、背面把持領域３００内の第２の凸部４３０の近傍に把持したときに押されにくくするための、背の高い操作部材を配置する。【選択図】図３
2018180139.tif 000002
【特許請求の範囲】
【請求項１】
電子機器の前面側に配置され、曲面形状で形成される、前面把持領域と、
電子機器の背面側に配置される、背面把持領域と、
ユーザーが前記前面把持領域と前記背面把持領域とを把持することで、電子機器を保持可能なグリップを有する電子機器において、
前記背面把持領域は、
窪んだ形状で形成される凹部と、
前記凹部から連続し、電子機器から出っ張る方向に高さが増す傾斜を有する第１の凸部と、
前記第１の凸部の、前記凹部に対して反対側に、前記背面把持領域よりも高さが高い、第２の凸部を有し、
前記背面把持領域内の前記第２の凸部近傍に、ユーザーが前記前面把持領域と前記背面把持領域とを把持したときに押し込み操作がされにくく、前記凹部よりも突出しているか、または、周囲の形状よりも突出した形状で形成される、操作部材を配置することを特徴とする、電子機器のグリップ構造。
【請求項２】
前記凹部は断面形状を前記電子機器の内部側へ向かって、所定の円弧形状に窪ませた形状で形成することを特徴とする、請求項１に記載の電子機器のグリップ構造。
【請求項３】
前記第１の凸部は弾性を有する材料で形成され、前記背面把持領域の、前記第１の凸部以外の部分よりも厚みが厚いことを特徴とする、請求項１に記載の電子機器のグリップ構造。
【請求項４】
前記第２の凸部は、回転操作部材であることを特徴とする、請求項１に記載の電子機器のグリップ構造。
【請求項５】
前記第１の凸部の裏面側に突出した形状で形成される、突起部と、前記突起部に対応する位置に、ユーザーが前記前面把持領域と前記背面把持領域とを把持したときに前記突起部と当接する、係止部を有することを特徴とする、請求項１に記載の電子機器のグリップ構造。
【請求項６】
電子機器の背面側の外観形状を形成する、背面カバーと、
電子機器の筐体形状を形成する、本体と、
前記背面カバーには、前記第１の凸部の裏面側に、前記背面カバーを前記本体に取り付けるための、筒形状で形成される、取り付け部を有し、
前記係止部は、前記背面カバーの前記取り付け部近傍に設けられ、
前記突起部は、前記取り付け部に嵌入するように形成されていることを特徴とする、請求項１に記載の電子機器のグリップ構造。
【請求項７】
文字表示や、画像の表示が可能な、表示手段と
前記第１の凸部の裏側には、ユーザーが前記前面把持領域と前記背面把持領域とを把持したときの、前記第１の凸部に加わる圧力を検知する検知手段を有し、
前記検知手段により検知した圧力が所定の値未満のときには、前記表示手段に警告表示を行うように制御する、制御手段を有することを特徴とする、請求項１に記載の電子機器のグリップ構造。
【発明の詳細な説明】
【技術分野】
【０００１】
本発明は、カメラなどの電子機器に関し、特に把持部を備える電子機器のグリップ構造に関する。
【背景技術】
【０００２】
従来、カメラなどの電子機器には、ユーザーがカメラを保持するためのグリップを有するものがある。また、ユーザーがカメラの撮影条件などの情報設定を行うため、押しボタン式の操作部材や、回転ダイヤル式の操作部材などが配置されている。
【０００３】
図８は、一般的なカメラの撮影姿勢を示した図である。図８に示すとおり、カメラのグリップは、ユーザーがカメラをしっかりと保持するために、手全体（指、掌）でカメラを握りこめるような形状であることが望ましい。一方で、前述のとおり、カメラにはさまざまな操作部材が配置されており、ユーザーがカメラを保持する際の、誤操作防止も望まれている。
【０００４】
特許文献１では、カメラの背面左右いずれかの側に回転操作ダイヤルが配置される。さらに、前記カメラの上面の前記回転操作ダイヤルが配置された側にシャッタボタンが配置される。前記カメラにおいて、前記背面の前記回転操作ダイヤルと前記上面との間に位置させて、前記回転操作ダイヤルに沿う、前記回転操作ダイヤルよりも高い背高部を有する。さらに、該背高部から前記上面側に向けて高さを減じるグリップ部材を設けたことを特徴とするカメラのグリップ部構造が開示されている。これにより、回転操作ダイヤルの誤操作を防止している。
【先行技術文献】
【特許文献】
【０００５】
【特許文献１】特開２０１６−４５３８２号公報
【発明の概要】
【発明が解決しようとする課題】
【０００６】
しかしながら、特許文献１に開示された従来技術では、背高部によって、ユーザーの掌がカメラから浮くグリップ構造のため、グリップ性が良くないという問題があった。また、背高部は回転操作ダイヤルより高いため、回転操作ダイヤルを操作する際に、ユーザーの指が背高部に当たってしまい、回転操作ダイヤルの操作性が良くないという問題があった。
【０００７】
そこで、本発明の目的は、把持しやすいグリップ性と、グリップ時に誤操作しにくく、操作時に操作しやすい操作部材の配置が可能な電子機器のグリップ構造を提供することにある。
【課題を解決するための手段】
【０００８】
上記の目的を達成するために、本発明に係る電子機器のグリップ構造は、
電子機器の前面側に配置され、曲面形状で形成される、前面把持領域と、
電子機器の背面側に配置される、背面把持領域と、
ユーザーが前記前面把持領域と前記背面把持領域とを把持することで、電子機器を保持可能なグリップを有する電子機器において、
前記背面把持領域は、
窪んだ形状で形成される凹部と、
前記凹部から連続し、電子機器から出っ張る方向に高さが増す傾斜を有する第１の凸部と、
前記第１の凸部の、前記凹部に対して反対側に、前記背面把持領域よりも高さが高い、第２の凸部を有し、
前記背面把持領域内の前記第２の凸部近傍に、ユーザーが前記前面把持領域と前記背面把持領域とを把持したときに押し込み操作がされにくく、前記凹部よりも突出しているか、または、周囲の形状よりも突出した形状で形成される、操作部材を配置することを特徴とする。
【発明の効果】
【０００９】
本発明によれば、把持しやすいグリップ性と、グリップ時に誤操作しにくく、操作時に操作しやすい操作部材の配置が可能な電子機器のグリップ構造を提供することができる。
【図面の簡単な説明】
【００１０】
【図１】本発明に係るカメラの機能構成を示すブロック図
【図２】本発明に係るカメラの背面斜視図
【図３】本発明に係るカメラの背面図
【図４】本発明に係る凸部の横断面図（Ａ−Ａ矢視断面）
【図５】本発明に係る設定ボタンの縦断面図（Ｂ−Ｂ矢視断面）
【図６】本発明に係る設定ボタンの横断面図（Ｃ−Ｃ矢視断面）
【図７】本発明に係るグリップ検知のフローチャート
【図８】一般的なカメラの撮影姿勢
【発明を実施するための形態】
【００１１】
以下、本発明を実施するための形態について、図面を参照しながら説明する。
【実施例１】
【００１２】
以下に、本発明の好ましい実施の形態を、添付の図面に基づいて詳細に説明する。まず、図１と図２を用いてカメラの構成を説明する。
【００１３】
図１は、本発明に係るカメラの機能構成を示すブロック図である。図２は、本発明に係るカメラの背面斜視図である。
【００１４】
図１および図２において、１０はカメラ、３０は撮影レンズで、カメラ１０前面のマウント開口部（不図示）に対し、レンズ着脱ボタン（不図示）の操作により、着脱可能になっている。カメラ１０と撮影レンズ３０はカメラ側通信Ｉ／Ｆ１７とレンズ側通信Ｉ／Ｆ３６で電気的に接続され、各種信号を通信することができる。また、カメラ１０から撮影レンズ３０への電源供給も行われる。カメラ１０のレンズ検知スイッチ１８により、カメラ１０と撮影レンズ３０が、カメラ側通信Ｉ／Ｆ１７とレンズ側通信Ｉ／Ｆ３６を介して通信可能か否かの判別を行う。また、レンズ検知スイッチ１８では、カメラ１０に装着された撮影レンズ３０の種類を識別することができる。３１ａ、３１ｂはフォーカスレンズやズームレンズ等の複数のレンズによって構成されるレンズである。３２は開口量を調節するための絞り、３３はレンズ３１ａ、３１ｂを駆動し、ピント合わせやズーム駆動をするためのレンズ駆動機構、３４は絞り３２を駆動し、絞り値を制御するための絞り駆動機構、３５はレンズ３０の信号処理を行うレンズＣＰＵである。カメラ１０は請求項に記載の電子機器に相当する。
【００１５】
カメラ１０は、ユーザーがカメラ１０を保持するためのグリップ部１００を有する。グリップ部１００は、前面把持領域２００と背面把持領域３００で構成される。前面把持領域２００は、カメラ１０の前面に設けられ、ユーザーが指（主に中指、薬指、小指）を引っ掛けられるような略曲面形状で形成される。背面把持領域３００は、カメラ１０の背面側に、周囲と段差を設けるなどして区別され、主にユーザーが親指から掌を置くための３次元曲面で形成される。これによりユーザーが、前面把持領域２００と背面把持領域３００を把持することで、カメラ１０を保持可能な構成となっている。背面把持領域３００についての詳細な構造については、後述する。
【００１６】
１１ａは撮影レンズ３０からの撮影光束（図１の１点鎖線）の大部分を後述するペンタプリズム（２６）に反射するとともに、一部をＡＦ（オートフォーカス）のために透過させるハーフミラーからなる主ミラーで、回動可能に配置されている。１１ｂは主ミラー１１ａとともに回動可能なサブミラーであり、主ミラー１１ａを透過した撮影光束を反射して、自動焦点調節を行うＡＦセンサ２５へ導く。以下、１１ａ、１１ｂを単にミラー１１という。１４はミラー１１を駆動させるミラー駆動回路で、ミラーモータ（不図示）への通電制御により、ミラー１１を撮像光路上（図１において実線の位置）、および撮像光路から上方に退避した位置（図１において２点鎖線の位置）に回動および保持可能に構成されている。１２はフォーカルプレーンシャッタからなるシャッタで、撮像素子１３を露出および遮蔽することにより撮影光束の入射制御を行う。１３は撮影レンズ３０からの撮影光束を取り込み光電変換するＣＭＯＳセンサやＣＣＤセンサからなる撮像素子で、電子シャッタ機能を有する。１５はシャッタ１２のシャッタ幕（不図示）を開閉動作させるシャッタ駆動回路であり、撮像素子１３を露出させる開状態、および遮蔽する閉状態にシャッタ幕（不図示）を移行および保持可能に構成されている。
【００１７】
１６はカメラ１０内部の温度を検出する内部温度センサである。１９はカメラ１０の設定や撮影動作を行うための複数のボタンやダイヤルからなる操作部材である。ここで、操作部材１９について、図２を参照して説明する。
【００１８】
図２において、４００はカメラ１０の設定を行う設定画面に移行するための、設定ボタンである。設定ボタン４００は請求項に記載の、操作部材に相当する。４１０は外部メモリ２４に記録された撮影画像を再生させるための、再生ボタンである。４２０は撮影画像を消去するための、消去ボタンである。ここで、設定ボタン４００、再生ボタン４１０、消去ボタン４２０は、いわゆるスイッチゴムを用いた押しボタン式の操作部材である。このような押しボタン式の操作部材は公知の技術であるため、構造についての詳細な説明は省略する。
【００１９】
４３０は撮影時や撮影画像の再生時に関わる種々の選択をするために、ユーザーが回転させて使用する選択ダイヤルである。選択ダイヤル４３０はＺ軸に回転可能な構成の回転ダイヤル式の操作部材である。このような回転ダイヤル式の操作部材は公知の技術であるため、構造についての詳細な説明は省略する。選択ダイヤル４３０は請求項に記載の、第２の凸部に相当する。
【００２０】
４４０は選択ダイヤル４３０の内周に配置され、上下左右方向とそれぞれの間の斜め方向に押すことで、８方向の入力が可能な方向入力ボタンである。ここで、方向入力ボタン４４０は、選択ダイヤル４３０と同じように、撮影時や撮影画像の再生時に関わる種々の選択をするために、使用する。４５０は方向入力ボタン４４０の中央に配置され、選択した項目を決定する機能を有する、選択ボタンである。ここで、方向入力ボタン４４０、選択ボタン４５０は、板バネなどにより形成された、メタルドームスイッチを用いた押しボタン式の操作部材である。このような押しボタン式の操作部材は公知の技術であるため、構造についての詳細な説明は省略する。
【００２１】
２０はカメラ１０の信号処理を行うカメラＣＰＵである。カメラＣＰＵ２０は請求項に記載の、検知手段および、制御手段に相当する。２１はカメラ１０の背面に設けられ、カメラ１０の設定表示や状態表示やライブビュー表示や撮影画像表示を行う、液晶表示パネルなどからなる背面モニタである。ここで背面モニタ２１はＹ軸およびＸ軸に回転可能な２軸ヒンジにより構成されるバリアングルヒンジ５０により、カメラ１０に保持されている。背面モニタ２１は請求項に記載の、表示手段に相当する。２２はカメラ１０の電池残量を検出する電池残量検出部である。２３は背面把持領域３００の内部に配置され、ユーザーが背面把持領域３００を把持していることを検知する感圧センサである。ここで、感圧センサ２３は接触の圧力変化による電気抵抗値の変化を検知することが可能な構成である。感圧センサ２３は請求項に記載の、検知手段に相当する。２４はカメラ１０に着脱可能な半導体メモリーカードなどからなる、撮影画像を記録する外部メモリである。
【００２２】
２６は主ミラー１１ａによって反射された撮影光束を後述するＡＥセンサ２７およびファインダ２８に導く、ガラスなどからなるペンタプリズムである。２７は自動露出制御を行うＡＥセンサである。２８はペンタプリズム２６から導かれた撮影光束を観察するためのファインダである。２９はＣＰＵ２０からの信号を受けて、カメラ１０の設定表示や状態表示を行う、液晶表示パネルなどからなるファインダ内表示器である。
【００２３】
つぎに、図３から図６を用いて、本発明の実施形態による、カメラのグリップ構造について説明する。図３は、本発明に係るカメラの背面図である。図４は、本発明に係る凸部の横断面図（Ａ−Ａ矢視断面）である。図５は、本発明に係る設定ボタンの縦断面図（Ｂ−Ｂ矢視断面）である。図６は、本発明に係る設定ボタンの横断面図（Ｃ−Ｃ矢視断面）である。
【００２４】
図３において、６００はユーザーの親指を示したものである。６１０は、カメラ１０の重心を示したものである。背面把持領域３００（図中の太い破線部）は、背面ゴム３１０と、背面カバー３２０と、カードカバー３３０とで構成され、それぞれの外形形状が連続した３次元曲面で形成されている。そして、ユーザーの親指６００から掌（不図示）が密着できるように構成される。背面ゴム３１０は、ゴムや熱可塑性エラストマなどの弾性を有する材料で形成される。背面ゴム３１０は背面カバー３２０に対し、両面テープなどの接着部材３７０（図４および図５の接着部材３７０）で取り付けられている。背面カバー３２０は、樹脂などの射出成形により形成され、複数の操作部材１９（４００、４１０、４２０、４３０、４４０、４５０）などの構成部品が取り付け可能な構成になっている。カードカバー３３０は、樹脂などの射出成形により形成され、外部メモリ２４を取り出し可能なように露出させた開状態と、外部メモリ２４を格納して覆う閉状態とで、開閉可能な構成となっている。
【００２５】
３４０は背面ゴム３１０の一部を切り欠いた形状で形成される、切り欠き部である。切り欠き部３４０は、選択ダイヤル４３０の近傍の背面把持領域３００に設けられている。そして、背面把持領域３００の、切り欠き部３４０近傍には、設定ボタン４００が配置されている。
【００２６】
３５０は、背面把持領域３００の、親指６００の指の腹が置かれる部分に設けられ、背面ゴム３１０の一部に窪み形状で形成される、凹部である。ここで、凹部３５０は、図４および図５に示すとおり、断面形状がネガＲで形成されていることが好ましい。ネガＲとは、所定の円弧の頂点を窪ませた円弧形状のことである。本実施例では、図中Ｚ方向に窪ませた円弧形状のことである。これにより、凹部３５０がユーザーの親指６００の指の腹の形状に沿うため、グリップ性が向上する。
【００２７】
３６０は、背面ゴム３１０の一部に形成される、凸部である。凸部３６０は、凹部３５０よりも重心６１０に対し外側に設けられ、凹部３５０から連続し、高さが増す方向の傾斜（後述する傾斜部３６０ａ）を有する面で形成され、さらに、傾斜の終端側（後述する終端部３６０ｃ）が周囲より突出した形状で形成される。凸部３６０は請求項に記載の、第１の凸部に相当する。凹部３５０、および、凸部３６０は、背面ゴム３１０の一部に一体的に形成されており、ゴムや熱可塑性エラストマなどの弾性を有する材料で形成される。
ここで、設定ボタン４００は凹部３５０よりも重心６１０に近い位置に配置することが好ましい。ユーザーがカメラ１０を保持する際に、親指６００の指の腹を凹部３５０に置き把持すると、親指６００を支点として、重力によるモーメントが生じ、親指６００の側面が凸部３６０に押しつけられるような把持方法となる。これにより、設定ボタン４００が押されにくくなり、誤操作を防止できる。
【００２８】
図４において、６２０は、樹脂などの射出成形により形成され、背面カバー３２０や不図示の回路基板など、カメラ１０の構成部品を取り付け可能に構成される、本体である。本体６２０は、カメラ１０の骨格を成す構成部品のため、ガラス繊維や炭素繊維などにより剛性を強化した樹脂で形成されることが好ましい。また、金属とのインサート成形により、剛性を得る構成としても良い。背面カバー３２０には、凸部３６０に対応した位置に、裏面に略筒状（略筒形状）に突出した形状で形成され、背面カバー３２０を本体６２０に取り付けるための、取り付け部３２０ａが形成されている。取り付け部３２０ａは、ねじなどの締結部材６３０により、本体６２０に取り付けられる。また、背面カバー３２０には、取り付け部３２０ａ近傍に、凸部３６０側に突出した形状で形成され、凸部３６０のズレを抑止するための、係止部３２０ｂが形成されている。
【００２９】
凸部３６０は、凹部３５０から連続し、高さが増す方向（図中−Ｚ方向）の傾斜により形成される、傾斜部３６０ａ（図中の１点鎖線部）を有する。また、凸部３６０は傾斜部３６０ａから連続し、周囲より突出した形状で形成される、終端部３６０ｂを有する。さらに、傾斜部３６０ａの裏面側に突出した形状で形成され、取り付け部３２０ａに嵌入する突起部３６０ｃを有する。
【００３０】
ユーザーが背面把持領域３００を把持すると、親指６００の指の側面が傾斜部３６０ａに接触する。そして、親指６００を支点として、重力によるモーメントが生じ、親指６００の側面が傾斜部３６０ａに押しつけられる。このとき、傾斜部３６０ａが、凹部３５０から連続し、高さが増す方向（図中−Ｚ方向）の傾斜により形成されていることで、親指６００の側面が傾斜部３６０ａに引っかかるようなグリップ状態となり、カメラ１０を安定して保持できる。ここで、傾斜部３６０ａから終端部３６０ｂの厚みを背面ゴム３１０の他の部分（たとえば、凹部３５０）よりも厚くすることが好ましい。背面ゴム３１０は、ゴムや熱可塑性エラストマなどの弾性を有する材料で形成される。そのため、親指６００の側面が傾斜部３６０ａに引っかかるようなグリップ状態のときに、厚みが厚いほうが、親指６００の側面に負荷を感じにくく、グリップ性が向上する。
【００３１】
ユーザーが背面把持領域３００を把持すると、親指６００の指の側面が傾斜部３６０ａに接触する。そして、親指６００を支点として、重力によるモーメントが生じ、親指６００の側面が傾斜部３６０ａに押しつけられる。このとき、凸部３６０が図中−Ｘ方向に変位するが、突起部３６０ｃが係止部３２０ｂに当接することで、変位が抑止できる。ここで、係止部３２０ｂは取り付け部３２０ａ近傍に形成されており、取り付け部３２０ａは、剛性を有する本体６２０に取り付けられているため、突起部３６０ｃの変位の抑止効果が高い。さらに、突起部３６０ｃは取り付け部３２０ａに嵌入するように形成されているため、新たに、変位を抑止する形状を設ける必要がなく、省スペースである。
【００３２】
感圧センサ２３は、傾斜部３６０ａの裏面に配置され、不図示の配線パターンにより、回路基板（不図示）を経由し、カメラＣＰＵ２０に電気的に接続される。感圧センサ２３を、傾斜部３６０ａの裏面に配置することで、ユーザーが背面把持領域３００を把持している強さ（親指６００が傾斜部３６０ａに接触する際に発生する圧力の大きさ）を検出することができる構成となっている。具体的には、ユーザーの親指６００が傾斜部３６０ａに接触すると、図中矢印Ｐの方向に発生する圧力により傾斜部３６０ａが変位し、親指６００が傾斜部３６０ａに接触する際に発生する圧力が感圧センサ２３に伝わる。そして、接触の圧力変化による電気抵抗値の変化を検知し、出力する。出力された信号は、不図示の配線パターンにより、回路基板（不図示）を経由し、カメラＣＰＵ２０に伝達される。
【００３３】
図５において、設定ボタン４００は周囲の背面カバー３２０よりも突出している。これにより、ユーザーが設定ボタン４００を親指６００の指先や指の腹で押しこむ際に操作しやすい。一方、設定ボタン４００は、背面ゴム３１０と選択ダイヤル４３０の外形を結ぶ線（図中の２点鎖線）よりも突出していない。これにより、ユーザーがカメラ１０を保持する際に、親指６００が設定ボタン４００に触れてしまっても、背面ゴム３１０や選択ダイヤル４３０により、Ｚ軸方向に押し込む操作を抑制できるため、誤操作を防止できる。また、選択ダイヤル４３０は回転操作部材であり、Ｚ軸方向に押し込まれても動作を受け付けないため、誤操作を防止できる。
【００３４】
すなわち、設定ボタン４００を周囲の背面カバー３２０よりも突出させ、さらに、設定ボタン４００の近傍の、選択ダイヤル４３０を、設定ボタン４００よりも突出させた。これにより、ユーザーがカメラ１０を保持する際には、誤操作を防止でき、設定ボタン４００を操作する際には、操作しやすい。
【００３５】
また、選択ダイヤル４３０が誤操作防止の機能を発揮するため、新たに誤操作防止形状を設ける必要がなく、省スペースである。
【００３６】
図６において、４００ａは、導電性の材料で形成され、設定ボタン４００をユーザーが押し込み操作をした際にｏｎ信号を伝達するための、スイッチである。４００ｂは、スイッチ４００ａが接触することで、ｏｎ信号をカメラＣＰＵ２０に伝達するための、信号パターンである。
【００３７】
Ｌ１は、スイッチ４００ａが信号パターン４００ｂに接触するまでの、設定ボタン４００のｏｎストロークの距離を示している。Ｌ２は、設定ボタン４００の背面カバー３２０からの突出量（重心６１０から遠い側）を示している。Ｌ３は、設定ボタン４００の背面カバー３２０からの突出量（重心６１０に近い側）を示している。ここで、設定ボタン４００の背面カバー３２０からの突出量Ｌ２およびＬ３は０（ゼロ）より大きい。これにより、ユーザーが設定ボタン４００を親指６００の指先や指の腹で押しこむ際に操作しやすい。また、設定ボタン４００の背面カバー３２０からの突出量Ｌ２は、設定ボタン４００のｏｎストロークＬ１よりも小さい。これにより、ユーザーがカメラ１０を保持する際に、親指６００が設定ボタン４００に触れてしまっても、容易にｏｎしないため、誤操作を防止できる。さらに、設定ボタン４００の背面カバー３２０からの突出量Ｌ３は、設定ボタン４００のｏｎストロークＬ１よりも大きい。これにより、ユーザーが設定ボタン４００を親指６００の指先や指の腹で押しこむ際に操作しやすい。
【００３８】
すなわち、操作ボタン４００のｏｎストロークと、設定ボタン４００の背面カバー３２０からの突出量を０＜Ｌ２＜Ｌ１≦Ｌ３の関係とした。これにより、ユーザーがカメラ１０を保持する際には、誤操作を防止でき、設定ボタン４００を操作する際には、操作しやすい。
【００３９】
つぎに、図７を用いて、本発明の実施形態による、グリップ検知について説明する。図７は、本発明に係るグリップ検知のフローチャートである。
【００４０】
まず、Ｓ７００で、感圧センサ２３により、グリップ圧の検知を行う。具体的には、ユーザーが背面把持領域３００を把持している強さ（親指６００が傾斜部３６０ａに接触する際に発生する圧力の大きさ）を感圧センサ２３により検出する。そして、感圧センサ２３の出力をカメラＣＰＵ２０に伝達する。ここで、Ｓ７００のグリップ圧検知は、常時行っても良いし、所定の時間経過ごとに行っても良い。
【００４１】
つぎに、Ｓ７１０で、ユーザーがカメラ１０のグリップ１００を把持しているかどうかを判定する。具体的には、カメラＣＰＵ２０により、感圧センサ２３の出力の有無を判定する。感圧センサ２３の出力が有る場合は、ユーザーがカメラ１０のグリップ１００を把持していると判定し、Ｓ７２０に進む。一方、感圧センサ２３の出力が無い場合は、ユーザーがカメラ１０のグリップ１００を把持していないと判定し、グリップ検知処理を終了する。
【００４２】
つぎに、Ｓ７２０で、カメラＣＰＵ２０により、感圧センサ２３の出力が所定の値以上かどうかを判定する。出力が所定の値以上と判定された場合は、グリップ検知処理を終了する。一方、出力が所定の値未満と判定された場合は、Ｓ７３０に進む。ここで、所定の値とは、ユーザーがカメラ１０をしっかり保持していない、または、ユーザーの親指６００が好ましい位置に置かれていないことが判定できるような値とすることが好ましい。たとえば、複数のモニター（人）に様々なグリップをしてもらい、実際のグリップ圧をサンプリングし、実験的に定めるなどの方法がある。
【００４３】
つぎに、Ｓ７３０で、背面モニタ２１に警告表示を行う。具体的には、背面モニタ２１に、ユーザーがカメラ１０をしっかり保持していない、または、ユーザーの親指６００が好ましい位置に置かれていないことを認識できる旨の表示を行う。たとえば、「カメラをしっかりグリップしてください。」といった文字表示を行っても良いし、好ましいグリップ状態を示す図を表示しても良い。そして、Ｓ７００に戻り、Ｓ７１０で、ユーザーがカメラ１０のグリップ１００を把持していないと判定されるか、Ｓ７２０でカメラＣＰＵ２０により、感圧センサ２３の出力が所定の値以上と判定されるまで、Ｓ７３０の警告表示を継続する。
【００４４】
上記のとおり、ユーザーがカメラ１０のグリップ１００を把持しているときに、カメラＣＰＵ２０により、感圧センサ２３の出力が所定の値以上かどうかを判定し、出力が所定の値未満と判定された場合は、背面モニタ２１に警告表示を行うようにした。
【００４５】
これにより、ユーザーがカメラ１０をしっかり保持していない、または、ユーザーの親指６００が好ましい位置に置かれていないことを判別できるため、ユーザーに好ましいグリップ状態を促すことができ、グリップ性が向上する。さらに、ユーザーの親指６００の位置を好ましい位置に誘導することができるため、背面把持領域３００近傍の複数の操作部材１９（４００、４１０、４２０、４３０、４４０、４５０）の誤操作を防止できる。
【００４６】
以上、本発明の好ましい実施形態について説明したが、本発明はこれらの実施形態に限定されず、その要旨の範囲内で種々の変形及び変更が可能である。
【符号の説明】
【００４７】
１０  カメラ、２０  カメラＣＰＵ、２１  背面モニタ、２３  感圧センサ、
１００  グリップ、２００  前面把持領域、３００  背面把持領域、
３１０  背面ゴム、３２０  背面カバー、３２０ａ  取り付け部、
３２０ｂ  係止部、３３０  カードカバー、３４０  切り欠き部、
３５０  凹部、３６０  凸部、３６０ａ  傾斜部、３６０ｂ  終端部、
３６０ｃ  突起部、４００  設定ボタン、４３０  選択ダイヤル、
６２０  本体
【図１】
2018180139.tif 000003
【図２】
2018180139.tif 000004
【図３】
2018180139.tif 000005
【図４】
2018180139.tif 000006
【図５】
2018180139.tif 000007
【図６】
2018180139.tif 000008
【図７】
2018180139.tif 000009
【図８】
2018180139.tif 000010